【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
（ａ）ポリマーフィルムの第１のシートと、
（ｂ）ポリマーフィルムの前記第１のシートの上に重ね合わされたポリマーフィルムの第２のシートであって、ポリマーフィルムの前記第１および第２のシートが、周縁シール部を画定するように、互いに直接、または第３の介在ポリマーフィルムにより間接的にシールされ、もって封止パウチを形成する、ポリマーフィルムの第２のシートと、
（ｃ）前記封止パウチの前記周縁部内側にある少なくとも１つの易壊シールであって、前記封止パウチを分離室に分割している易壊シールと、
（ｄ）前記分離室の１つに閉じ込められた液体飲料と、
（ｅ）第２の分離室に閉じ込められた他の成分と、
（ｆ）装具と
を含むことを特徴とする可撓性複室飲料パウチ。
【請求項２】
（ａ）ポリマーフィルムの第１のシートと、
（ｂ）ポリマーフィルムの前記第１のシートの上に重ね合わされたポリマーフィルムの第２のシートであって、ポリマーフィルムの前記第１および第２のシートが、周縁シール部を画定するように、互いに直接、または第３の介在ポリマーフィルムにより間接的にシールされ、もって封止パウチを形成する、ポリマーフィルムの第２のシートと、
（ｃ）前記封止パウチの前記周縁部内側にある少なくとも１つの易壊シールであって、前記封止パウチを分離室に分ける易壊シールと、
（ｄ）前記分離室の少なくとも１つに閉じ込められた流体とを含み、
前記封止パウチの、シールされた前記周縁部のシール強度が、前記分離室の少なくとも１つに閉じ込められた前記流体に対する手による圧搾に耐えるのに十分なものであり、
前記易壊シールの前記シール強度が、前記分離室の少なくとも１つに閉じ込められた前記流体に対する手による圧搾に耐えるのに不十分であり、十分に持続した手による圧搾の後に、前記流体が、少なくとも１つの他の分離室の中身と混合されることを特徴とする可撓性複室パウチ。
【請求項３】
前記パウチ周縁部の内側に少なくとも１つの易壊シールを備えたヒートシールされたポリマーフィルムを含み、パウチが分離室に分割されている可撓性複室パウチにおいて、前記分離室の少なくとも１つの内部の圧力が０．５ｐｓｉｇから５ｐｓｉｇに増大する際に、前記易壊シールが、１インチ当たり４００グラムから１インチ当たり６，０００グラムまでのシール破断力を受けることを特徴とする改良された可撓性複室パウチ。
【請求項４】
前記パウチ周縁部の内側に少なくとも１つの易壊シールを備えたヒートシールされたポリマーフィルムを含み、前記易壊シールがパウチを分離室に分割している可撓性複室パウチにおいて、
前記易壊シールが、さらに少なくとも１つの力集中手段を備え、
該力集中手段が、前記分離室の少なくとも１つの内部の圧力が０．５ｐｓｉｇから１０ｐｓｉｇに増大する際に、１インチ当たり１，５００グラムから１インチ当たり１０，０００グラムまでのシール破断力を受けることにより、前記易壊シールのシール強度を選択的に超えるためのものであることを特徴とする改良された可撓性複室パウチ。
【手続補正２】
【補正対象書類名】明細書
【補正対象項目名】００４２
【補正方法】変更
【補正の内容】
【００４２】
本発明の恩恵および利点は数多くあり、かなりのものであると考えられる。第１の最も重要なことは、本発明は、従来から知られた市販の装置を用いて安価に製造でき、容易に充填、容易に破断するが、堅牢な複室パウチを提供することである。本発明によるパウチおよび／または単独の飲料容器は、様々な中身および成分をパッケージ内に一時的に互いに単離して保持し、後に使用者が任意に混合する方法を提供する。さらに、パッケージングシステムを用いるときに、様々な新規さ、および見た目が美しく快いという効果および利点を与える。実際、本発明により使用者に与えられる易壊シールの任意の数、サイズ、形状および連続して制御される破断は、新規なパッケージングの代替物を実質的に制限なく広げ、見た目が美しいという機能効果も与えるものと考えられる。
本発明は以下の実施の態様を含むものである。
１．（ａ）ポリマーフィルムの第１のシートと、
（ｂ）ポリマーフィルムの前記第１のシートの上に重ね合わされたポリマーフィルムの第２のシートであって、ポリマーフィルムの前記第１および第２のシートが、周縁シール部（ａ ｓｅａｌｅｄ ｐｅｒｉｍｅｔｅｒ）を画定するように、互いに直接、または第３の介在ポリマーフィルムにより間接的にシールされ、もって封止パウチを形成する、ポリマーフィルムの第２のシートと、
（ｃ）前記封止パウチの前記周縁部（ｔｈｅ ｐｅｒｉｍｅｔｅｒ）内側にある少なくとも１つの易壊シールであって、前記封止パウチを分離室（ｓｅｐａｒａｔｅｄ ｃｏｍｐａｒｔｍｅｎｔｓ）に分割している易壊シールと、
（ｄ）前記分離室の１つに閉じ込められた液体飲料と、
（ｅ）第２の分離室に閉じ込められた他の成分と、
（ｆ）装具（ｆｉｔｍｅｎｔ）と
を含むことを特徴とする可撓性複室飲料パウチ。
２．前記第２の分離室に閉じ込められた前記他の成分が、液体香味料濃縮液（ｌｉｑｕｉｄ ｆｌａｖｏｒｉｎｇ ｃｏｎｃｅｎｔｒａｔｅ）であることを特徴とする前記１に記載の可撓性複室飲料パウチ。
３．前記易壊シールが、持続した手による圧搾により、前記液体飲料を閉じ込めている前記分離室内の圧力が１２ｐｓｉｇまで増大する際に層剥離する（ｄｅｌａｍｉｎａｔｅ）ことを特徴とする前記１に記載の可撓性複室飲料パウチ。
４．前記易壊シールが、持続した手による圧搾により、前記液体飲料を閉じ込めている前記分離室内の圧力が０．５ｐｓｉｇから２．０ｐｓｉｇに増大する際に層剥離することを特徴とする前記１に記載の可撓性複室飲料パウチ。
５．前記易壊シールのシール強度が１インチ当たり１３０グラムから１インチ当たり５，０００グラムであることを特徴とする前記１に記載の可撓性複室飲料パウチ。
６．前記易壊シールのシール強度が１インチ当たり４００グラムから１インチ当たり２，５００グラムであることを特徴とする前記１に記載の可撓性複室飲料パウチ。
７．前記易壊シールのシール強度が１インチ当たり１，０００グラムから１インチ当たり２，０００グラムであることを特徴とする前記１に記載の可撓性複室飲料パウチ。
８．前記易壊シールが、持続した手による圧搾により、前記液体飲料を閉じ込めている前記分離室内の圧力が０．５ｐｓｉｇから５．０ｐｓｉｇに増大する際に、１インチ当たり４００グラムから１インチ当たり６，０００グラムのシール破断力を受けることを特徴とする前記１に記載の可撓性複室飲料パウチ。
９．前記易壊シールが少なくとも１つの力集中手段（ｆｏｒｃｅ ｃｏｎｃｅｎｔｒａｔｉｎｇ ｍｅａｎｓ）を備え、
該力集中手段が、前記液体飲料を閉じ込めている前記分離室内の圧力が０．５ｐｓｉｇから１０ｐｓｉｇに増大する際に、１インチ当たり１，５００グラムから１インチ当たり１０，０００グラムまでのシール破断力を受けることにより、前記易壊シールのシール強度を選択的に超えるためのものであることを特徴とする前記１に記載の可撓性複室飲料パウチ。
１０．前記易壊シールが、ポリマーフィルムの前記第１のシートをポリマーフィルムの前記第２のシートにヒートシールすることにより作成され、
前記ポリマーフィルムの少なくとも１つの内側表面が、（ａ）８０〜９３重量パーセントのエチレン／酸イオノマーと、（ｂ）２０〜７重量パーセントのプロピレン／α−オレフィンコポリマーとのブレンドを含み、
前記エチレン／酸イオノマーの少なくとも５０重量パーセントがエチレンコモノマーから誘導され、酸の中和度が５〜４５パーセントであり、前記α−オレフィンコモノマーが、前記コポリマーの１〜１２重量パーセントを占めることを特徴とする前記１〜９のいずれか一つに記載の可撓性複室飲料パウチ。
１１．前記易壊シールが、ポリマーフィルムの前記第１のシートをポリマーフィルムの前記第２のシートにヒートシールすることにより作成され、
前記易壊ヒートシール部における、前記ポリマーフィルムの少なくとも１つの内側表面が、（ａ）主成分としての酸変性エチレン酢酸ビニル（ａｃｉｄ ｍｏｄｉｆｉｅｄ ｅｔｈｙｌｅｎｅ ｖｉｎｙｌ ａｃｅｔａｔｅ、ＥＶＡ）コポリマーまたは酸変性エチレンメチルアクリレート（ａｃｉｄ ｍｏｄｉｆｉｅｄ ｅｔｈｙｌｅｎｅ ｍｅｔｈｙｌ ａｃｒｙｌａｔｅ、ＥＭＡ）コポリマーと、（ｂ）副成分としての部分中和エチレン酸イオノマー（ａ ｐａｒｔｉａｌｌｙ ｎｅｕｔｒａｌｉｚｅｄ ｅｔｈｙｌｅｎｅ ａｃｉｄ ｉｏｎｏｍｅｒ）とを含むブレンドであることを特徴とする前記１〜９のいずれか一つに記載の可撓性複室飲料パウチ。
１２．前記易壊シールが、ポリマーフィルムの前記第１のシートをポリマーフィルムの前記第２のシートにヒートシールすることにより作成され、
前記ポリマーフィルムの少なくとも１つの内側表面が、（ａ）主成分としての部分中和エチレン酸イオノマーと、（ｂ）副成分としてのポリブテン−１ホモポリマーまたはコポリマーとのブレンドを含むことを特徴とする前記１〜９のいずれか一つに記載の可撓性複室飲料パウチ。
１３．前記易壊シールが、ポリマーフィルムの前記第１のシートをポリマーフィルムの前記第２のシートにヒートシールすることにより作成され、
前記ポリマーフィルムの少なくとも１つの内側表面が、（ａ）主成分としてのメタロセンポリエチレンと、（ｂ）副成分としてのポリプロピレンまたはポリブテン−１ホモポリマーまたはコポリマーとのブレンドを含むことを特徴とする前記１〜９のいずれか一つに記載の可撓性複室飲料パウチ。
１４．封止パウチを形成する前記周縁部が、図面の図９に示す通りであることを特徴とする前記１〜９のいずれか一つに記載の可撓性複室飲料パウチ。
１５．封止パウチを形成する前記周縁部が、図面の図１０に示す通りであることを特徴とする前記１〜９のいずれか一つに記載の可撓性複室飲料パウチ。
１６．（ａ）ポリマーフィルムの第１のシートと、
（ｂ）ポリマーフィルムの前記第１のシートの上に重ね合わされたポリマーフィルムの第２のシートであって、ポリマーフィルムの前記第１および第２のシートが、周縁シール部を画定するように、互いに直接、または第３の介在ポリマーフィルムにより間接的にシールされ、もって封止パウチを形成する、ポリマーフィルムの第２のシートと、
（ｃ）前記封止パウチの前記周縁部内側にある少なくとも１つの易壊シールであって、前記封止パウチを分離室に分ける易壊シールと、
（ｄ）前記分離室の少なくとも１つに閉じ込められた流体とを含み、
前記封止パウチの、シールされた前記周縁部のシール強度が、前記分離室の少なくとも１つに閉じ込められた前記流体に対する手による圧搾に耐えるのに十分なものであり、
前記易壊シールの前記シール強度が、前記分離室の少なくとも１つに閉じ込められた前記流体に対する手による圧搾に耐えるのに不十分であり、十分に持続した手による圧搾の後に、前記流体が、少なくとも１つの他の分離室の中身と混合されることを特徴とする可撓性複室パウチ。
１７．前記易壊シールが、持続した手による圧搾により、前記流体を閉じ込めている前記分離室内の圧力が１０ｐｓｉｇまで増大する際に、層剥離することを特徴とする前記１６に記載の可撓性複室パウチ。
１８．前記易壊シールが、持続した手による圧搾により、前記流体を閉じ込めている前記分離室内の圧力が０．５ｐｓｉｇから２．０ｐｓｉｇまで増大する際に、層剥離することを特徴とする前記１６に記載の可撓性複室パウチ。
１９．前記易壊シールのシール強度が１インチ当たり１３０グラムから１インチ当たり５，０００グラムであることを特徴とする前記１６に記載の可撓性複室パウチ。
２０．前記易壊シールのシール強度が１インチ当たり１，０００グラムから１インチ当たり２，０００グラムであることを特徴とする前記１６に記載の可撓性複室パウチ。
２１．前記易壊シールが、持続した手による圧搾により、前記液体飲料を閉じ込めている前記分離室内の圧力が０．５ｐｓｉｇ〜５ｐｓｉｇまで増大する際に、１インチ当たり４００グラムから１インチ当たり６，０００グラムのシール破断力を受けることを特徴とする前記１６に記載の可撓性複室パウチ。
２２．前記易壊シールが少なくとも１つの力集中手段を備え、
該力集中手段が、前記液体飲料を閉じ込めている前記分離室内の圧力が０．５ｐｓｉｇから１０ｐｓｉｇに増大する際に、１インチ当たり１，５００グラムから１インチ当たり１０，０００グラムまでのシール破断力を受けることにより、前記易壊シールのシール強度を選択的に超えるためのものであることを特徴とする前記１６に記載の可撓性複室パウチ。
２３．前記易壊シールが、ポリマーフィルムの前記第１のシートをポリマーフィルムの前記第２のシートにヒートシールすることにより作成され、
前記ポリマーフィルムの少なくとも１つの内側表面が、（ａ）８０〜９３重量パーセントのエチレン／酸イオノマーと、（ｂ）２０〜７重量パーセントのプロピレン／α−オレフィンコポリマーとのブレンドを含み、
前記エチレン／酸イオノマーの少なくとも５０重量パーセントがエチレンコモノマーから誘導され、酸の中和度が５〜４５パーセントであり、
前記α−オレフィンコモノマーが前記コポリマーの１〜１２重量パーセントを占めることを特徴とする前記１６〜２２のいずれか一つに記載の可撓性複室パウチ。
２４．前記易壊シールが、ポリマーフィルムの前記第１のシートをポリマーフィルムの前記第２のシートにヒートシールすることにより作成され、
前記易壊ヒートシール部における、前記ポリマーフィルムの少なくとも１つの内側表面が、（ａ）主成分としての酸変性エチレン酢酸ビニル（ＥＶＡ）コポリマーまたは酸変性エチレンメチルアクリレート（ＥＭＡ）コポリマーと、（ｂ）副成分としての部分中和エチレン酸イオノマーとを含むブレンドであることを特徴とする前記１６〜２２のいずれか一つに記載の可撓性複室パウチ。
２５．前記パウチ周縁部の内側に少なくとも１つの易壊シールを備えたヒートシールされたポリマーフィルムを含み、パウチが分離室に分割されている可撓性複室パウチにおいて、前記分離室の少なくとも１つの内部の圧力が０．５ｐｓｉｇから５ｐｓｉｇに増大する際に、前記易壊シールが、１インチ当たり４００グラムから１インチ当たり６，０００グラムまでのシール破断力を受けることを特徴とする改良された可撓性複室パウチ。
２６．前記パウチ周縁部の内側に少なくとも１つの易壊シールを備えたヒートシールされたポリマーフィルムを含み、前記易壊シールがパウチを分離室に分割している可撓性複室パウチにおいて、
前記易壊シールが、さらに少なくとも１つの力集中手段を備え、
該力集中手段が、前記分離室の少なくとも１つの内部の圧力が０．５ｐｓｉｇから１０ｐｓｉｇに増大する際に、１インチ当たり１，５００グラムから１インチ当たり１０，０００グラムまでのシール破断力を受けることにより、前記易壊シールのシール強度を選択的に超えるためのものであることを特徴とする改良された可撓性複室パウチ。
２７．前記易壊シールが、ポリマーフィルムの前記第１のシートをポリマーフィルムの前記第２のシートにヒートシールすることにより作成され、
前記ポリマーフィルムの少なくとも１つの内側表面が、（ａ）８０〜９３重量パーセントのエチレン／酸イオノマーと、（ｂ）２０〜７重量パーセントのプロピレン／α−オレフィンコポリマーとのブレンドを含み、
前記エチレン／酸イオノマーの少なくとも５０重量パーセントがエチレンコモノマーから誘導され、酸の中和度が５〜４５パーセントであり、
前記α−オレフィンコモノマーが、前記コポリマーの１〜１２重量パーセントを占めることを特徴とする前記２５または２６に記載の可撓性複室パウチ。
２８．前記易壊シールが、ポリマーフィルムの前記第１のシートをポリマーフィルムの前記第２のシートにヒートシールすることにより作成され、前記易壊ヒートシール部における、前記ポリマーフィルムの少なくとも１つの内側表面が、（ａ）主成分としての酸変性エチレン酢酸ビニル（ＥＶＡ）コポリマーまたは酸変性エチレンメチルアクリレート（ＥＭＡ）コポリマーと、（ｂ）副成分としての部分中和エチレン酸イオノマーとを含むブレンドであることを特徴とする前記２５または２６に記載の可撓性複室パウチ。
２９．前記易壊シールが、ポリマーフィルムの前記第１のシートをポリマーフィルムの前記第２のシートにヒートシールすることにより作成され、前記易壊ヒートシール部における、前記ポリマーフィルムの少なくとも１つの内側表面が、（ａ）主成分としての部分中和エチレン酸イオノマーと、（ｂ）副成分としてのポリブテン−１ホモポリマーまたはコポリマーとを含むブレンドであることを特徴とする前記２５または２６に記載の可撓性複室飲料パウチ。
３０．前記易壊シールが、ポリマーフィルムの前記第１のシートをポリマーフィルムの前記第２のシートにヒートシールすることにより作成され、前記易壊ヒートシール部における、前記ポリマーフィルムの少なくとも１つの内側表面が、（ａ）主成分としてのメタロセンポリエチレンと、（ｂ）副成分としてのポリプロピレンまたはポリブテン−１ホモポリマーまたはコポリマーとを含むブレンドであることを特徴とする前記２５または２６に記載の可撓性複室飲料パウチ。